(57)【要約】 【課題】  直接手を触れずに簡単操作で洗浄部の交換が行える使い勝手の良い清掃用具を提供する。【解決手段】  洗浄部１と、洗浄部１を着脱自在に保持する柄部２０と、洗浄部１を収納するケース３０から構成され、ケース３０は、洗浄部１が収まる収納部３１を備え、且つ、洗浄部１を収納した状態において、柄部２０との着脱が可能である。【選択図】    図４
2006271645.tif 000002
【特許請求の範囲】
【請求項１】
洗浄部と、当該洗浄部を着脱自在に保持する柄部と、当該洗浄部を収納するケースとから構成され、
前記ケースは、前記洗浄部が収まる収納部を備え、且つ、前記洗浄部を収納した状態において、前記柄部との着脱が可能であることを特徴とする清掃用具。
【請求項２】
前記洗浄部は、前記柄部と着脱自在に結合可能なアダプターを備えると共に、前記柄部は、内部に摺動可能なロッドを備え、当該ロッドの押し下げ動作で前記アダプターとの結合を解除することを特徴とする請求項１に記載の清掃用具。
【請求項３】
前記柄部は、一端にカム機構を設けたレバーを備え、当該レバーの起倒操作によるカム動作で前記ロッドを押し下げることを特徴とする請求項２に記載の清掃用具。
【請求項４】
前記収納部は、前記アダプターを支持する支持部を備え、且つ、支持状態において前記洗浄部が前記収納部の底部に非接触となることを特徴とする請求項１から請求項３までの何れかに記載の清掃用具。
【請求項５】
前記ケースは、複数の収納部を備えることを特徴とする請求項１から請求項４までの何れかに記載の清掃用具。
【発明の詳細な説明】
【技術分野】
【０００１】
本発明は、便器、洗面台、風呂場等の水回り箇所の清掃に用いる清掃用具に関するものである。
【背景技術】
【０００２】
従来より、便器等の清掃具として、図５（ａ）〜（ｃ）に示すような、長柄２０の先端にスポンジや束子やブラシ等からなる洗浄部１を取り付けたものが知られている。このような清掃具は、清掃終了後に汚れた洗浄部を便器の中で水洗いし、付属のケース等に収納しておくのが一般的な使い方であるが、清掃具を繰り返し使用している間に洗浄部にトイレの汚れ（汚物）が付着し、残留してしまうため、汚れの酷い状態で使用したり収納しておくのは極めて不衛生であった。
【０００３】
このため、柄と洗浄部を着脱自在とすると共に、洗浄部を水に分解し得る水溶性部材で構成し、洗浄部を使い捨てとした清掃具も提案されている。（特許文献１、特許文献２）
【特許文献１】特開昭６０−１９１２９６号公報
【特許文献２】特開２０００−２７９３４４号公報
【発明の開示】
【発明が解決しようとする課題】
【０００４】
しかしながら、従来の使い捨て清掃具は、次のような問題点を有していた。
すなわち、清掃毎に洗浄部を交換するというのは不経済であり、且つ、洗浄部の交換操作が煩雑で面倒であること、交換の際には便器内に触れる柄の下端部に替え部材を直接手で装着しなければならず不衛生であること、また、水溶性部材は、素材が柔らか過ぎるためにしっかり擦って洗浄することができず、よって、汚れが激しい箇所の洗浄には不向きである、等の問題である。
【０００５】
本発明は、上記した問題点に鑑み成されたもので、直接手を触れずに簡単操作で洗浄部の交換が行える使い勝手の良い清掃用具を提供することを目的としている。
【課題を解決するための手段】
【０００６】
すなわち、請求項１に記載の本発明は、洗浄部と、当該洗浄部を着脱自在に保持する柄部と、当該洗浄部を収納するケースとから構成され、前記ケースは、前記洗浄部が収まる収納部を備え、且つ、前記洗浄部を収納した状態において、前記柄部との着脱が可能であることを特徴としている。
【０００７】
また、請求項２に記載の本発明は、請求項１に記載の清掃用具において、前記洗浄部は、前記柄部と着脱自在に結合可能なアダプターを備えると共に、前記柄部は、内部に摺動可能なロッドを備え、当該ロッドの押し下げ動作で前記アダプターとの結合を解除することを特徴としている。
【０００８】
また、請求項３に記載の本発明は、  請求項２に記載の清掃用具において、前記柄部は、一端にカム機構を設けたレバーを備え、当該レバーの起倒操作によるカム動作で前記ロッドを押し下げることを特徴としている。
【０００９】
また、請求項４に記載の本発明は、請求項１から請求項３までの何れかに記載の清掃用具において、前記収納部は、前記アダプターを支持する支持部を備え、且つ、支持状態において前記洗浄部が前記収納部の底部に非接触となることを特徴としている。
【００１０】
また、請求項５に記載の本発明は、請求項１から請求項４までの何れかに記載の清掃用具において、前記ケースは複数の収納部を備えることを特徴としている。
【発明の効果】
【００１１】
本発明によれば、清掃具をケースに収納した状態で、レバー操作により直接手で触れることなく洗浄部の交換ができるため、極めて衛生的である。
また、上記ケースは複数の収納部を備えるため、各収納部に拭浄部材の異なる洗浄部を収納しておくことにより、清掃箇所や汚れ具合に応じて洗浄部を適宜交換しながら清掃できるため、効率的な清掃が行えると共に、各洗浄部の柄部が共用できることから、収納に場所を取らず極めて使い勝手が良い。
【発明を実施するための最良の形態】
【００１２】
以下、図面に基づいて本発明の清掃用具の実施形態を説明する。
図１は本実施形態による清掃具の外観を示し、図２は清掃用具の分解・組立を示し、図３は清掃具の内部構造を示し、図４は清掃具をケースに収納した状態を示している。
【００１３】
図１、図２に示すように、本実施形態の清掃用具４０は 清掃具１０とこの清掃具１０を収納するケース３０で構成され、また、清掃具１０は、洗浄部１と、この洗浄部１を着脱自在に保持する柄部２０（長柄２０）とで構成されている。
【００１４】
洗浄部１は、拭浄部材である弾力性のある板状部材２と、この板状部材２を柄部２０に着脱自在、且つ、揺動自在に取り付けるためのアダプター３より構成される。
【００１５】
板状部材２は、弾力性、耐摩耗性に優れる発泡ウレタンや弾性に富むポリエステル不織布等の素材で成る厚さ５ｍｍ程度の２枚の円盤状部材２ａ、２ｂを張り合わせた２層構造とし、その周縁部より中心部に向けて複数（４本）の切り溝４をほぼ等間隔に設けて円盤を大きく４つのブロックに分割すると共に、扇状の各ブロックの縁部中央にそれぞれ椀状凹部５を設けることにより、清掃時の押し当て動作に対して各ブロックを自在に動き易くしている。このため、先端が折れ曲がり易くなっており、よって、清掃箇所（例えば、便器内）の凹曲面や凸曲面に押し付けると、板状部材２がこれらの曲面に沿うように自在に変形し、曲面と洗浄部１との接触面積が増大することによって、効率的な洗浄が行えるようになる。加えて、板状部材２自体の厚さが薄いため、狭くて洗い難い隙間にも板状部材２の先端部を確実に押し込むことができ、便器内の隅々まで確実に洗浄することができる。
【００１６】
アダプター３は、後述する柄部２０側のジョイント部２１が着脱自在に嵌着されるジョイント用の水平嵌合軸６と、この水平嵌合軸６を支持・固定するベース７とから成り、このベース７のフランジが板状部材２ａと板状部材２ｂの間に挟まれる状態で接着材にて接着・固定されると共に、上面部材２ａ中央の角状抜き部９より頭部の水平嵌合軸６を突出させた構造としている。
【００１７】
長柄２０はプラスチック製で、断面コの字形の本体２２と、この本体２２の内部に摺動自在に収容される断面コの字形のロッド２３と、倒し操作により、このロッド２３の押し下げを行うレバー２４とを備える。
本体２２は先端部に半割筒状のジョイント部２１を一体的に形成し、図１（ｂ）に示すように、このジョイント部２１の凹面２１ａを、その弾性を利用してアダプター３の水平嵌合軸６に上方から矢印方向に押圧・嵌合し、長柄２０の先端に洗浄部１を装着することにより、図１（ａ）に示す清掃具１０を組み立てる。洗浄部１はアダプター３を介して長柄２０のジョイント部２１に着脱自在であり、且つ、図３（ａ）に示すように、水平嵌合軸６を支点に揺動自在となっている。
【００１８】
上記レバー２４は、ロッド２３の他端と接触する部分に支軸２５を支点として回動するカム２６を一体的に備えている。図３（ｂ）に示すように、このレバー２４の倒し操作（矢印方向）によるカム動作でロッド２３を押し下げると、その先端の突き出し突起２７がジョイント部２１を嵌通してアダプター３の水平嵌合軸６を押圧し、その押圧力により水平嵌合軸６とジョイント部２１の結合が解除されるため、長柄２０より洗浄部１を取り外すことができる。レバー操作であるから、洗浄部１の取り外しは容易であり、且つ、取り外しに大きな力は必要ない。突き出し突起２７の先端部２７ａは、アダプター３の水平嵌合軸６面に合わせた凹曲面を有する。
【００１９】
ケース３０は清掃し易いプラスチック製で、内部に上記洗浄部１が収まる上部開放の二つの収納部３１を備えている。これら収納部３１は、図４に示すように、何れも上記アダプター３を係止・支持する支持部３２（段部）と、板状部材２が収まる有底の収納凹部３３を備え、清掃具１０を収納部３１に収納すると、アダプター３のベース７がこの支持部３２に係止されると共に、その下方に配設された収納凹部３３に板状部材２が縦方向に収容されるようになっており、且つ、この状態で板状部材２の周側部は収納凹部３３の底部３３ａより離間し、非接触な状態となっている。
このように、板状部材２を収納凹部３３に宙づり状態に収納することにより、清掃後の板状部材２の水切れを良くし、洗浄部１を常に清潔に保持しておくことができる。加えて、洗浄部１を取り外した状態で収納しておく場合も、洗浄部１に接手を触れずにレバー操作により片手で簡単に洗浄部１より長柄２０を取り外すことができるため、極めて衛生的である。
【００２０】
また、収納状態においてアダプター３のベース７がケース３０の支持部３２に支持される構造であると、洗浄部１を取り付ける時も、洗浄部１を収納部３１に収納した状態で長柄２０のジョイント部２１をダプター３の水平嵌合軸６に上方から直接押圧・嵌合することができるため、取り付けは極めて簡単であり、且つ、その際、洗浄部１に直接手を触れる必要がないため、衛生的である。
また、繰り返し使用後（例えば、数年後）の汚れた洗浄部１を取り外して破棄する場合も、レバー操作で手を汚さずに取り外して直接ゴミ箱等に捨てることができる。
【００２１】
また、本実施形態のケース３０は二つの収納部３１を備えるため、それぞれに拭浄部材の異なる洗浄部１を収納しておいて、清掃箇所や汚れ具合に応じて適宜洗浄部１を交換することにより、効率的な清掃を行うことができ、且つ、長柄２０は共用であるから、収納に場所を取らず極めて使い勝手が良い。
【００２２】
以上、本実施形態では、洗浄部１の拭浄部材として、発泡ウレタンやポリエステル不織布による板状部材２を用いたが、これに限るものではなく、例えば、図５（ａ）〜（ｃ）に示すような、スポンジ（図５（ａ））や束子（図５（ｂ））やブラシ（図５（ｃ））等、従来公知の拭浄部材にアダプター３を取り付けることにより使用可能である。
また、本実施形態では、複数（二つ）の収納部３１を備えたケース３０について説明したが、これに限定されるものではなく、収納部３１を一つにしたケース３０を構成することも勿論可能であり、この場合も上記同様、洗浄部１を収納した状態において柄部２０との着脱、すなわち、洗浄部１の交換が可能であることは言うまでもない。
また、本発明の清掃用具４０は、便器の清掃以外に、洗面台、流し台、風呂場等の様々な水回り箇所の清掃に使用可能である。
【図面の簡単な説明】
【００２３】
【図１】（ａ）は本実施形態による清掃具の外観斜視図、（ｂ）はジョイント構造を示す清掃具の要部斜視図。
【図２】本実施形態による清掃用具の分解斜視図。
【図３】本実施形態による清掃具の内部構造を示す断面図。
【図４】本実施形態による清掃具をケースに収納した状態を示す断面図。
【図５】従来の清掃具の要部を示す斜視図。
【符号の説明】
【００２４】
１  洗浄部
３  アダプター
２０  柄部（長柄）
２３  ロッド
２４  レバー
２６  カム
３０  ケース
３１  収納部
３２  支持部
３３ａ  底部
４０  清掃用具
【図１】
2006271645.tif 000003
【図２】
2006271645.tif 000004
【図３】
2006271645.tif 000005
【図４】
2006271645.tif 000006
【図５】
2006271645.tif 000007